(57)【要約】【課題】従来のシート繋縛用細幅織物に比べて、横方向および縦方向に強度が高く、バランスのとれた安定したシート繋縛用細幅織物を提供する。【解決手段】幅方向に地部１と袋部２とコール部３を有する細幅織物から成り、地部１が、経糸と緯糸により平織組織により織成されると共にシートに一体化され、袋部２が、地部１の緯糸が交互に織り込まれた２枚重ねの平織組織部から構成され、コール部３が、緯糸と補強された芯糸４から織成される。【選択図】        図１
2006009161.tif 000002
【特許請求の範囲】
【請求項１】
幅方向に地部と袋部とコール部を有する細幅織物から成り、該地部が、経糸と緯糸により平織組織により織成されると共にシートに一体化され、上記袋部が、上記地部の緯糸が交互に織り込まれた２枚重ねの平織組織部から構成され、上記コール部が、上記緯糸と補強された芯糸から織成されることを特徴とするシート繋縛用細幅織物。
【請求項２】
上記細幅織物の両側に袋部とコール部を織成することを特徴とする請求項１に記載のシート繋縛用細幅織物。
【請求項３】
上記袋部に、連結部材を通す穴を形成することを特徴とする請求項１または２に記載のシート繋縛用細幅織物。
【請求項４】
上記芯糸に代えてロープ等の芯材を織成することを特徴とする請求項１、２または３に記載のシート繋縛用細幅織物。
【請求項５】
上記コール部が地部や袋部より高密度の組織となっていることを特徴とする請求項１、２、３または４に記載のシート繋縛用細幅織物。
【発明の詳細な説明】
【技術分野】
【０００１】
本発明は、養生用シート、土木用シート、覆いシート、テント用シートなどのシートを他のシートに連結したり、パイプ、柱・梁材、立木、柵などの固定物に繋ぎ留めるためのシート繋縛用細幅織物に関するものである。
【背景技術】
【０００２】
従来のシート繋縛用細幅織物としては、合成繊維製のたて糸とよこ糸からなる帯状の織物であって、該織物の幅方向のほぼ中央部に地部分を所定の幅に配し、その両外側に地部分よりも高密度の強化部分を形成した後、各強化部分の外側に紐を通すための穴部を溶融加工により織物の長手方向に複数個配置形成して、上記中央部で折り曲げて２重として地部分にシートを挟み込んで縫製して使用するようになっている。（例えば、特許文献１参照）
【０００３】
しかし、上記従来のシート繋縛用細幅織物は、織成後の帯状の織物を、更に折り曲げて二次加工する必要があり、製造工程が煩雑で手間と時間がかかり、コスト高になるだけでなく、穴部の構造強度が弱い等の問題点があった。
【特許文献１】特開平７−１１５７１号公報
【発明の開示】
【発明が解決しようとする課題】
【０００４】
本発明が解決しようとする課題は、上記従来のシート繋縛用細幅織物に比べて、横方向および縦方向に強度が高く、バランスのとれた安定したシート繋縛用細幅織物を提供することにある。
【課題を解決するための手段】
【０００５】
本発明のシート繋縛用細幅織物は、幅方向に地部と袋部とコール部を有する細幅織物から成り、該地部が、経糸と緯糸により平織組織により織成されると共にシートに一体化され、上記袋部が、上記地部の緯糸が交互に織り込まれた２枚重ねの平織組織部から構成され、上記コール部が、上記緯糸と補強された芯糸から織成されることを特徴とする。また、上記細幅織物の両側に袋部とコール部を織成することを特徴とする。さらに、上記袋部に、連結部材を通す穴を形成することを特徴とする。又更に、上記芯糸に代えてロープ等の芯材を織成することを特徴とする。更にまた、上記コール部が地部や袋部より高密度の組織となっていることを特徴とする。
【発明の効果】
【０００６】
本発明のシート繋縛用細幅織物は、工程が簡単で安価に製造することができ、また、穴部の構造強度が強くて繋縛用織物として製品価値が高い等の利点がある。
【発明を実施するための最良の形態】
【０００７】
図１は、本発明のシート繋縛用細幅織物の一実施例を示す図であって、幅方向に地部１と袋部２とコール部３からなる細幅織物として構成されている。本実施例の織物は、いわゆるニードル織機により織成され、上記地部１の耳部１ａからコール部３の方向にニードルが往復して緯糸を供給するようになっている。該耳部１ａには縁に沿って解止め糸が入っている。
【０００８】
上記地部１は、多数本のポリエステル繊維からなる経糸と、同様のポリエステル繊維からなる緯糸により平織組織として織成されている。この地部１にはシートが縫い付けられたり、接着・溶着されて一体化される。
【０００９】
上記袋部は、図１（Ｂ）に示すように、２枚重ねの平織組織部２ａ、２ａから構成されている。各平織組織部２ａには、上記地部１の緯糸を送るニードルが交互に往復して、それぞれの組織を織成するようになっている。
【００１０】
上記コール部３は、経糸として３束の芯糸４が使用されており、各芯糸４の間および上記袋部２の両側には閉糸５が経糸として入れられている。該コール部３は、上記地部１や袋部２より高密度の組織となっている。また、上記芯糸４に代えてロープ等の芯材を織り込んでもよい。
【００１１】
上記袋部２には、織物の長手方向に適当な間隔を保って通し穴６が形成されている。該通し穴６は溶融切断により開け、その切断部は溶着し、解れないようになっている。各平織組織部２ａの経糸を上記地部１の経糸と同じ本数とすることにより、袋部２に通し穴６を形成しても該袋部２の強度が低下することはない。この通し穴６に結束紐などの連結部材（図示せず）を通して、シートとパイプ等の固定部材に連結するようになっている。
【００１２】
上記実施例では、袋部２およびコール部３を細幅織物の片側に形成したが、これらの袋部２およびコール部３を両側に織成して、その袋部２に穴６を形成してもよい。また、穴６は省略してもよい。
【００１３】
本発明のシート繋縛用細幅織物は、上記実施例に限定するものではなく、特に各経糸や緯糸、あるいは芯糸を構成するポリエステル繊維の本数は、織物の使用目的に応じて適宜設定し得る。
【図面の簡単な説明】
【００１４】
【図１】本発明のシート繋縛用細幅織物の一実施例を示す平面図（Ａ）および断面図（Ｂ）である。
【符号の説明】
【００１５】
１    地部
１ａ  耳部
２    袋部
２ａ  平織組織
３    コール部
４    芯糸
５  閉じ糸
６  通し穴
【図１】
2006009161.tif 000003
【手続補正書】
【提出日】平成16年6月22日(2004.6.22)
【手続補正１】
【補正対象書類名】特許請求の範囲
【補正対象項目名】請求項１
【補正方法】変更
【補正の内容】
【請求項１】
幅方向に地部と袋部とコール部を有する細幅織物から成り、該地部が、経糸と緯糸により織成されると共にシートに一体化され、上記袋部が、上記地部の緯糸が交互に織り込まれた２枚重ねの組織部から構成され、上記コール部が、上記緯糸と補強された芯糸から織成されることを特徴とするシート繋縛用細幅織物。
【手続補正２】
【補正対象書類名】明細書
【補正対象項目名】０００５
【補正方法】変更
【補正の内容】
【０００５】
本発明のシート繋縛用細幅織物は、幅方向に地部と袋部とコール部を有する細幅織物から成り、該地部が、経糸と緯糸により織成されると共にシートに一体化され、上記袋部が、上記地部の緯糸が交互に織り込まれた２枚重ねの組織部から構成され、上記コール部が、上記緯糸と補強された芯糸から織成されることを特徴とする。また、上記細幅織物の両側に袋部とコール部を織成することを特徴とする。さらに、上記袋部に、連結部材を通す穴を形成することを特徴とする。又更に、上記芯糸に代えてロープ等の芯材を織成することを特徴とする。更にまた、上記コール部が地部や袋部より高密度の組織となっていることを特徴とする。